(57)【要約】      （修正有）【課題】着丈を調整できるとともに、インナー（長襦袢）ときものとを同時に洋服感覚で簡易に着用でき、着崩れせずにインナーの後衿を簡単に抜く事ができるようにする、イージー・オーダーでつくられる一部式立体縫製きものを提供する。【解決手段】後身頃２２の内側に着丈調整用ベルト通し２３と、該着丈調整用ベルト通し２３の位置を着用者の身体に固定する着丈調整ベルト３５と、丈方向に離して複数形成されたウェストベルト用ベルト通し３２と、身八口を通してきもの１の内側から外へ抜けて前見頃側へ回される第１、第２のウェストベルト２６、２７とを備え、着丈調整ベルト３５を着用者の身体に巻き付けてから後身頃２２の着丈位置を調整し、第１及び第２のウェストベルト２６，２７を用いて袵２４の着丈を調整しながらきもの１を着用可能としている。【選択図】図１
2010222719.tif 000002
【特許請求の範囲】
【請求項１】
後身頃の内側に丈方向に離して複数形成された着丈調整用ベルト通しと、任意の段の前記着丈調整用ベルト通しに通されきものの内側で着用者の体の前へ回して両端を互いに連結することにより前記後身頃の着丈調整用ベルト通しの位置を着用者の身体に固定する着丈調整ベルトと、両袵の上端縁近傍に丈方向に離して複数形成されたウェストベルト用ベルト通しと、一方の前記袵の任意の前記ウェストベルト用ベルト通しに対して着脱自在に取り付けられて身八口を通してきものの内側から外へ抜けて前見頃側へ回される第１のウェストベルトと、他方の前記袵の任意の前記ウェストベルト用ベルト通しに対して着脱自在に取り付けられてきものの外から背側へ回って反対側の前見頃側へ回され前記第１のウェストベルトと互いに連結される第２のウェストベルトとを備え、前記着丈調整ベルトを着用者の身体に巻き付けてから前記後身頃の着丈位置を調整してから、前記第１及び第２のウェストベルトを用いて前記袵の着丈を調整しながらきものを着用することを特徴とする一部式立体縫製きもの。
【請求項２】
前見頃の下前側となる衽の内側の面にさらに着丈調整用ベルト通しを設けたものである請求項１記載の一部式立体縫製きもの。
【請求項３】
前記袵の上端縁部分を着用状態で水平となるように形成すると共に該上端縁付近に前記第１及び第２のウェストベルト用ベルト通しをそれぞれ設け、前記第１及び第２のウェストバンドを着用者の身体に巻き付けて締め付けたときに前記袵の両端の衿先部分を水平方向に締め付けるものである請求項１または２記載の一部式立体縫製きもの。
【請求項４】
衿の内側面に面ファスナーの一方を設けると共に袖部分に長襦袢のだて袖をつけた請求項１記載の一部式立体縫製きものと、衿の外側面に前記面ファスナーの他方が設けられた袖無しの立体縫製の長襦袢とから成り、前記立体縫製きものと前記長襦袢とが各々後衿部分において前記面ファスナーで止め付けられて着付け前に予め一体となって羽織るように組み合わせられるものであり、かつ前記長襦袢の背の内側には衿抜きのための力布と該力布に通されて当該長襦袢の内側で着用者の体に巻き付けられる衿抜き用通しベルトとを備える一方、長襦袢の前身頃の衿の下部分には身八口を通して長襦袢の内側から外へ抜けて前見頃側へ回される長襦袢用第１のバンドと、長襦袢の外から背側へ回って反対側の前見頃側へ回される長襦袢用第２のバンドと、これら長襦袢用第１及び第２のバンドを係合させる長襦袢用係合部材とを備え、長襦袢の衿抜きの深さを衿抜き用通しベルトを着用者の体の前へ回して固定することにより決定してから前記長襦袢用第１及び第２のウェストベルトを使って長襦袢を着用し、かつ前記立体縫製きものの前記着丈調整ベルトを前記長襦袢の上から着用者の身体に巻き付けて前記立体縫製きものの後身頃の着丈位置を調整し、その後前記立体縫製きものの第１及び第２のウェストベルトを用いて立体縫製きものを着用するようにした一部式立体縫製きものセット。
【請求項５】
前記衿抜きのための力布は前記衿抜き用通しベルトを通過させるベルト通し部を身丈方向に互いに異なる高さで複数段備え、前記衿抜き用通しベルトを通す前記ベルト通し部を選択することで衿抜きの深さを調整可能としたものである請求項４記載の一部式立体縫製きものセット。
【発明の詳細な説明】
【技術分野】
【０００１】
本発明は、洋服のような感覚で誰にでも容易に着用できる立体縫製きものに関する。さらに詳述すると、本発明は、着丈調整を可能とした一部式立体縫製きもの並びに長襦袢との一部式立体縫製きものセットに関する。
【背景技術】
【０００２】
近年、誰にでも簡単かつ迅速に着られるきものとして、縫製した際に着用者の身体に適合するように予め立体裁断された上衣部、お端折り部、下衣部を曲線縫製して立体的に構成されたきもの（立体縫製きもの）が提案されされている。
【０００３】
この立体縫製きものには、巻きスカートのような下着部と上着部とから構成されて着丈の調整を可能とする二部式きもの（特許文献１，２）と、普通のきもののように上下連続した一部式（特許文献３）とがある。
【０００４】
二部式きものは、上下に分かれた下着部と上着部との境目を帯で隠すことにより、見た目には上下連続した普通のきものと変わらないようにしようとしたものである。この二部式きものは、巻きスカートと上着を着てから帯で隠すような構造であるため、簡単に着ることができると共に、上着部の裾を折り返したてお端折りをつくる際にその高さを調整したり（特許文献１）、上着部の裾に予め形成されたお端折りの高さを面ファスナーで位置調整可能とする調整部を設けることにより（特許文献２）、着丈を調整することが可能であるものである。
【０００５】
しかしながら、これら二次式きものは、上下連続した普通のきものと変わらない装いの出来映えを求めていることから明らかなように、見た目は本物のきものを着ているように見えたとしても、巻きスカートと上着とを着用しているだけで本物のきものを着ていないという意識を拭い取ることが難しいものである。殊に、着用するとき、さらには脱ぐときに如何にもきものとは異なるものであることの意識が高まり、和装を楽しむという気分をややもすれば損なうという問題がある。
【０００６】
他方、上下連続した普通のきものと変わらない一部式きものは、身長から割り出された身丈や端折りの位置などが決められるイージー・オーダー（ハーフ・メード）なので、洋服を着るような気やすさでありながら、普通のきものと全く同じ着用感があり、着付けが簡易な本物のきものを着ているという満足感が得られる。
【先行技術文献】
【特許文献】
【０００７】
【特許文献１】特開平１１−２４７００７
【特許文献２】特開２０００−１６０４０９
【特許文献３】特公平５−６５６０１
【発明の概要】
【発明が解決しようとする課題】
【０００８】
しかしながら、一部式立体縫製きものは、イージー・オーダが故に、その人しか着られないという欠点がある。即ち、着付けによって着丈の調整が自由な普通のきものでは、母から娘へと受け継がれたり、あるいは姉妹間で貸し借りして着られるという利点を有するものであるが、一部式立体縫製きものの場合には、柄や色の趣味が合うあわない以前の問題として身長がほぼ同じでないと譲渡や貸し借りまたは共用などができないという問題がある。このことは、一部式立体縫製きものの貸衣装としての使用を制約してしまうものでもある。
【０００９】
そこで本発明は、身丈がぴったりでなくとも、着丈を調整できる一部式立体縫製簡易きものを提供することを目的とする。
【課題を解決するための手段】
【００１０】
かかる目的を達成するため、本発明の一部式立体縫製きものは、後身頃の内側に丈方向に離して複数形成された着丈調整用ベルト通しと、任意の段の前記着丈調整用ベルト通しに通されきものの内側で着用者の体の前へ回して両端を互いに連結することにより前記後身頃の着丈調整用ベルト通しの位置を着用者の身体に固定する着丈調整ベルトと、両袵の上端縁近傍に丈方向に離して複数形成されたウェストベルト用ベルト通しと、一方の前記袵の任意の前記ウェストベルト用ベルト通しに対して着脱自在に取り付けられて身八口を通してきものの内側から外へ抜けて前見頃側へ回される第１のウェストベルトと、他方の前記袵の任意の前記ウェストベルト用ベルト通しに対して着脱自在に取り付けられてきものの外から背側へ回って反対側の前見頃側へ回され前記第１のウェストベルトと互いに連結される第２のウェストベルトとを備え、前記着丈調整ベルトを着用者の身体に巻き付けてから前記後身頃の着丈位置を調整してから、前記第１及び第２のウェストベルトを用いて前記袵の着丈を調整してきものを着用するようにしている。
【００１１】
したがって、本発明の一部式立体縫製きものによると、きものを羽織った状態で身長に応じた高さの着丈調整用ベルト通しに通した着丈調整ベルトをきものの内側で体の前に回して体に巻き付けるだけで、きものの後身頃の着丈調整用ベルト通しの位置を着用者の身体に固定すること、即ち後身頃の着丈を調整することができる。ついで、衽の上端の第１及び第２のウェストバンドを、着丈調整ベルトと同様に、身長に応じた高さのウェストベルト用ベルト通しに通す。そして、第１のウェストベルトをきものの内側から身八口を通してきものの外の背面側へ引き出してから再び反対側の前見頃側へ回す一方、第２のウェストベルトをきものの外から背側へ回して反対側の前身頃側へ引き回し、きものの前で第１及び第２のウェストベルトを互いに連結することにより、前身頃側・袵の着丈を調整する。これにより、着丈の調整と同時にきものの着用が完了する。
【００１２】
ここで、請求項１記載の一部式立体縫製きものにおいて、前見頃の下前側となる衽の内側の面にさらに着丈調整用ベルト通しを設けることが好ましい。
【００１３】
また、本発明の一部式立体縫製きものは、袵の上端縁部分を着用状態で水平となるように形成すると共に該上端縁付近に前記第１及び第２のウェストベルト用ベルト通しをそれぞれ設け、前記第１及び第２のウェストバンドを着用者の身体に巻き付けて締め付けたときに前記袵の両端の衿先部分を水平方向に締め付けるようにしている。
【００１４】
さらに、本発明の立体縫製きものセットは、衿の内側面に一対の係着手段の一方を設けると共に袖部分に長襦袢のだて袖をつけた請求項１記載の一部式立体縫製きものと、衿の外側面に前記係着手段の他方が設けられた袖無しの立体縫製の長襦袢とから成り、前記立体縫製きものと前記長襦袢とが各々後衿部分において前記係着手段で止め付けられて着付け前に予め一体となって羽織るように組み合わせられるものであり、かつ前記長襦袢の背の内側には衿抜きのための力布と該力布に通されて当該長襦袢の内側で着用者の体に巻き付けられる衿抜き用通しベルトとを備える一方、長襦袢の前身頃の衿の下部分には身八口を通して長襦袢の内側から外へ抜けて前見頃側へ回される長襦袢用第１のバンドと、長襦袢の外から背側へ回って反対側の前見頃側へ回される長襦袢用第２のバンドと、これら長襦袢用第１及び第２のバンドを係合させる長襦袢用係合部材とを備え、長襦袢の衿抜きの深さを衿抜き用通しベルトを着用者の体の前へ回して固定することにより決定してから前記長襦袢用第１及び第２のウェストベルトを使って長襦袢を着用し、かつ前記立体縫製きものの前記着丈調整ベルトを前記長襦袢の上から着用者の身体に巻き付けて前記立体縫製きものの後身頃の着丈位置を調整し、その後前記立体縫製きものの第１及び第２のウェストベルトを用いて立体縫製きものを着用するようにようにしている。
【００１５】
したがって、予め後衿部分が面ファスナーやスナップなどの係着手段で止め付けられて一体となって着られるように組み合わせられたきものと長襦袢とを重ねて羽織っただけの状態で、力布に通した衿抜き用通しベルトを長襦袢の内側で体の前に回して体に巻き付けるだけで後衿の深さを決めて固定することができる。また、衿抜き深さを決めてから長襦袢用第１及び第２のバンドを使って長襦袢の着付けを完了する。次いで、必要とする着丈に応じた高さの着丈調整用ベルト通しに通した着丈調整ベルトをきものの内側で体の前に回して体に巻き付けることで、きものの後身頃側の着丈を調整する。その後、必要とする着丈に応じた高さのウェストベルト用ベルト通しに第１及び第２のウェストバンドを通す。そして、第１のウェストベルトをきものの内側から身八口を通してきものの外の背面側へ引き出してから再び反対側の前見頃側へ回す一方、第２のウェストベルトをきものの外から背側へ回して反対側の前身頃側へ引き回し、きものの前で第１及び第２のウェストベルトを互いに連結することにより、袵の着丈を調整する。これにより、着丈の調整と同時にきものの着用が完了する。
【００１６】
また、本発明の一部式立体縫製きものセットは、衿抜きのための力布が衿抜き用通しベルトを通過させるベルト通し部を身丈方向に互いに異なる高さで複数段備え、衿抜き用通しベルトを通すベルト通し部を選択することで衿抜きの深さを調整可能としたものである。
【発明の効果】
【００１７】
請求項１記載の一部式立体縫製きものによれば、下部身頃の丈が身長から割り出されたものよりも着丈調整幅分だけ長めに設定された身丈に作製されていても、身長に応じた着丈調整用ベルト通しの位置並びにウェストベルト用ベルト通しの位置に着丈調整ベルト並びに第１及び第２のウェストベルトを通してからきものを着用するだけで、着丈を調整することができる。したがって、イージー・オーダが故にその人しか着られないという立体縫製きものの欠点を無くし、身丈がぴったりでなくとも、着丈を調整していろいろな背丈の人でも着られるようにできる。したがって、本人の身長が伸びた場合は勿論のこと、普通のきもののように母から娘へと受け継がれたり、あるいは姉妹間で貸し借りして着られるという利点を有するものである。また、着丈の調整により様々な着丈の人に対応できるようことから、一部式立体縫製きものを例えばＳ，Ｍ，Ｌ程度の標準的な身丈あるいは平均身長に応じた１種類の身丈で製作して貸衣装としたり、ユニフォームなどとすることも可能となり、一部式立体縫製きものの普及に大いに貢献するものとなる。
【００１８】
しかも、きものを羽織った状態で着丈調整ベルトをきものの内側で体の前に回して体に巻き付けるだけで後身頃の着丈を調整することができ、さらに衽の上端の第１及び第２のウェストバンドを身長に応じた高さのウェストベルト用ベルト通しに通してからきものの内外にそれぞれ回してきものの前で第１及び第２のウェストベルトを互いに連結することにより袵の着丈を調整することができるので、きものを羽織り両手を自由に動かせる状態で簡単に着丈調整ができ、着丈調整も、着付けも簡単である。
【００１９】
さらに、着丈調整ベルトのみならず第１及び第２のウェストベルトも各ベルト通しに対して着脱自在であるため、きものを畳むときには各ベルトをきものから取り外すことができ、従来のきものと同じ畳み方ができるので収納時に嵩張らない。また、着丈調整ベルト並びに第１及び第２のウェストベルトを取り外してきもの本体だけにできるので洗濯のときにも邪魔にならない。
【００２０】
また、請求項２記載の一部式立体縫製きものによれば、前見頃の下前側となる衽の内側の面にさらに着丈調整用ベルト通しを設けているので、衽の着丈調整用ベルト通しに着丈調整ベルトを通して着丈調整することによって、下前側となる衽の位置が固定される。依って、前身頃がはだけ難いものとなり、太鼓腹の人でも前がはだけることがなくなるという利点がある。
【００２１】
さらに請求項３記載の立体縫製きものによれば、衿先の重なった部分が互いに逆向きに水平に引っ張られた状態で固定されるため、衿先を肩側へ引き上げる力が働かないため、長時間着用しても衿元にだぶつきを生じることが少ない。つまり、着崩れを起こしやすい襟元においてより一層着崩れし難いものとなる。
【００２２】
さらに、請求項４記載の一部式立体縫製きものセットによれば、後衿部分で一体化された立体縫製きものと長襦袢とを羽織り両手を自由に動かせる状態で、衿抜き用通しベルトを使って予め任意の衿の深さと形をつくってから長襦袢の前の固定を行って長襦袢を着用し、さらに着丈調整ベルト並びに第１及び第２のウェストベルトを使ってきものの後見頃の着丈を決めてから前身頃・衽の着丈調整を行ってきものの着用を完了できるので、熟練していなくとも一人で手早くかつ容易に衿抜き、着丈調整並びにきものの着用をすることができる。しかも、長襦袢ときものとを重ねて同時に洋服感覚で一人で手早くかつ容易に着ることを可能としながらも、着崩れせずに長襦袢の後衿を簡単に抜くことができ、本格的きものと比べても遜色のない美しい装いが可能となる。
【００２３】
さらに、請求項５記載の一部式立体縫製きものによれば、衿抜き用通しベルトを通す力布のベルト通し筒部を選択することで衿抜きの深さを簡単に調整可能とすることができる。
【図面の簡単な説明】
【００２４】
【図１】本発明の一部式立体縫製きものの一実施形態を下部見頃を開いて示す正面図である。
【図２】同立体縫製きものの下部見頃を片方だけ閉じて示す正面図である。
【図３】袵に形成されたウェストベルト用ベルト通しとウェストベルトとの一実施形態を示す斜視図である。
【図４】本発明の立体縫製きものセットを構成する長襦袢の一実施形態を示す正面図である。
【図５】本発明の立体縫製きもの長襦袢とを組み合わせ一体化したセット状態を示す正面図である。
【図６】本発明の一部式立体縫製きものの他の実施形態を下部見頃を開いて示す正面図である。
【発明を実施するための最良の形態】
【００２５】
以下、本発明の構成を図面に示す実施形態に基づいて詳細に説明する。
【００２６】
図１〜図３に本発明にかかる一部式立体縫製きものの実施の一形態を示す。この立体縫製きもの１は、立体裁断された各パーツ例えば主に上部身頃１９と下部身頃２０とお端折り２１とを別々に縫って仮仕上をしたものを、腰部接続の曲線部分のサイズを合わせ、それを所定のきもの掛に掛け、身頃がつれない様に止めを入れ、一体化の仕上げ縫いをすることにより仕上げられるものである。因みに、立体縫製きものの構造並びに縫製方法についての詳細は例えば特公平５−６５６０１等において良く知られているので、その説明な説明は割愛する。
【００２７】
通常、一部式立体縫製きもの１は、イージー・オーダーであることから身丈やお端折りの位置などが着用者の身長から割り出され、それに応じて上部身頃１９、下部身頃２０、お端折り２１などが立体裁断される。しかしながら、本発明の一部式立体縫製きもの１は、着丈を調整可能とするため、下部身頃２０の丈を身長から割り出されたものよりも着丈調整幅分だけ長めに設定される。そして、上部身頃１９の丈並びに該上部身頃１９の下端部に縫いつけられるお端折り２１の位置は身長から割り出された値とされる。
【００２８】
また、本発明の一部式立体縫製きもの１は、後身頃２２の内側に着丈調整用ベルト通し２３を備えている。この着丈調整用ベルト通し２３は、丈方向に離して複数段例えば３〜５段程度形成されており、任意の段の着丈調整用ベルト通し２３に着丈調整ベルト３５を通すことによって、着用者の身体に固定する後身頃２２の位置を調整可能としている。即ち、着丈調整ベルト３５を身体の同じ位置で固定する場合、着丈調整ベルト３５を通す着丈調整用ベルト通し２３の段を変えることで、着丈調整ベルト３５から下の後身頃２２の長さ（実質的な着丈長さ）を調整可能としている。着丈調整ベルト３５はきもの１の内側で着用者の体の前へ回して両端を互いに連結することにより後身頃２２の着丈調整用ベルト通し２３の位置を着用者の身体に固定するようにしている。勿論、着丈調整用ベルト通し２３が１段であっても、即ち丈方向に１箇所であっても、着丈調整ベルト３５を身体に巻き付けて固定する位置自体を丈方向に移動させることで、着丈調整ベルト３５から下の後身頃２２の長さ（実質的な着丈長さ）を調整することも可能である。しかしながら、着丈調整ベルト３５を身体に巻き付けて固定する位置は、同じ高さである方が着付けの上ではしっくりと行くものである。このため、複数段の着丈調整用ベルト通し２３を設けて、着丈調整ベルト３５を通す段を変えることによって着丈調整を行うことが好ましい。
【００２９】
着丈調整用ベルト通し２３は、本実施形態の場合、後身頃２２の中央（背中の中心）と左右両端の３カ所に設けられている。勿論、後身頃２２の中央だけの１カ所や中央から少し離れた左右２カ所に、あるいは４カ所以上に設けることも可能であるが、後身頃２２全体の着丈を揃えるように調整可能とするには、中央と両端の３カ所程度が好ましい。さらに、この着丈調整用ベルト通し２３は、お端折り２１の上部身頃１９への縫い付け位置３６よりも下に設けられる。例えば、図２に示すように、上部身頃１９と下部身頃２０との縫い合わせ箇所に更にお端折り２１の上端縁部３６が縫い付けられる場合、このお端折り２１の上端縁部３６が縫い付けられる箇所から下の下部身頃２０部分に設けられる。これにより、着丈調整ベルト３５で着丈を調整する場合に、お端折り２１の縫い付け箇所（お端折り２１の上端縁部３６）よりも下の見頃部分即ち下部見頃２０が持ち上げられても、お端折り２１の下（お端折り２１に隠れた部分）できもの１の内側へ折り返されるため、着丈調整のための折り返し部分がきもの１の外観に現れない。
【００３０】
本実施形態の場合、下部見頃２０の裏地３７など上に帯布を縦に縫いつけて着丈調整用ベルト通し２３としている。この帯布から成る着丈調整用ベルト通し２３は、着丈調整ベルト３５の幅よりもおおきな間隔を以て複数箇所が下地に縫いつけられることにより、丈方向に複数段の着丈調整用ベルト通し２３が形成されている。本実施形態の場合、着丈調整ベルト３５の幅よりも大きな幅の着丈調整用ベルト通し２３が５段形成されているが、これに特に限られるものでなく、着丈調整幅に応じて必要な数の着丈調整用ベルト通し２３が設けられることは言うまでもない。また、着丈調整用ベルト通し２３は、帯布を区切るように縫いつけることで構成される場合に限られず、例えばループ状の紐を縫いつけたり、紐を一定間隔毎に複数箇所で下地に縫いつけることなどによって形成するようにしても良い。尚、着丈調整ベルト３５としては、ゴムバンドの使用が好ましいが、これに特に限定されるものではなく、伸縮性のない紐などを用いても良い。ゴムバンドを着丈調整ベルト３５として使用する本実施形態の場合には、その両端に雌雄一対の面ファスナー３４を縫い付け、これら面ファスナー３４を重ねることで任意位置で固定するようにしている。
【００３１】
さらに、両袵２４の上部には、丈方向に離して複数形成されたウェストベルト用ベルト通し３２が設けられている。このウェストベルト用ベルト通し３２は、本実施形態の場合、下前側となる衽２４のウェストベルト用ベルト通し３２と、上前側となる衽２４のウェストベルト用ベルト通し３２とは、身丈方向において同じ高さとなるように配置されている。具体的には、ウェストベルト用ベルト通し３２は、本実施形態の場合、やや幅広の帯状紐をウェストベルトの幅よりもおおきな間隔を以て一定間隔毎に複数箇所で袵２４部分に縫いつけることによって形成されている。本実施形態の場合、両衽２４にそれぞれ複数段例えば３段のウェストベルト用ベルト通し３２が設けられているが、これに特に限られるものでなく、着丈調整幅に応じて必要な数のウェストベルト用ベルト通し３２が設けられることは言うまでもない。本実施形態の場合、後見頃２２の着丈調整用ベルト通し２３の調整段数よりも両袵２４のウェストベルト用ベルト通し３２の調整段数を少なくしているが、このことに特に意味はない。後身頃２２の着丈調整に比べて、きもの１の前での着丈調整は第１及び第２のウェストベルト２６，２７の巻き付け位置の調整による更なる微調整ができることから少なくしているが、同じ段数でも良い。また、ウェストベルト用ベルト通し３２は、帯状紐を区切るように縫いつけることで構成される場合に限られず、例えばループ状の紐を縫いつけることなどによって形成するようにしても良い。また、ウェストベルト用ベルト通し３２は１段であっても、即ち丈方向に１箇所であっても、第１及び第２のウェストベルト２６，２７の身体に巻き付けて固定する位置自体を丈方向に移動させることで、袵２４と前見頃３１側の着丈を調整することができる。しかしながら、第１及び第２のウェストベルト２６，２７を身体に巻き付けて固定する位置は、同じ高さである方が着付けの上ではしっくりと行くものである。このため、複数段のウェストベルト用ベルト通し３２を設けて、第１及び第２のウェストベルト２６，２７を通す段を変えることによって袵２４と前見頃３１側の着丈調整を行うことが好ましい。
【００３２】
また、第１及び第２のウェストベルト２６，２７は、ウェストベルト用ベルト通し３２に通される方の端部に雌雄一対の面ファスナー３３を長手方向に並べて縫いつけ、ウェストベルト用ベルト通し３２に端部を通して折り返したときに雌雄一対の面ファスナー３３を接合させてウェストベルト用ベルト通し３２に巻き付けて取り付けるようにしている。この場合、面ファスナー３３の接合あるいは剥離させるだけで容易に第１及び第２のウェストベルト２６，２７をウェストベルト用ベルト通し３２に対して着脱自在に取り付け得る。
【００３３】
ここで、立体縫製きもの１の下袵側に取り付けられる第１のウェストベルト２６は、身八口３０を通してきもの１の内側から外へ抜けて前見頃３１側へ回される。また、上袵側に取り付けられる第２のウェストベルト２７は、きもの１の外から背側へ回って反対側の前見頃３１側へ回される。本実施形態の場合、きもの用の第１及び第２のウェストバンド２６，２７としては、ゴムバンドが使用されており、少なくとも一方のバンドの端部にはきもの用係合部材として一般に「かね」と呼ばれるフック形連結金具２８を備えると共に他方のバンドの端部にはフック形連結金具２８を引っ掛ける輪２９が形成されており、一方のバンドのフック形連結金具２８を他方のバンドの輪２９に引っ掛けることによって、着脱自在に固定可能とされている。尚、第１及び第２のウェストバンド２６，２７の両端を体の前で係合させる固定手段としては、上述の引っかけ方式に限られず、スナップやホック、面ファスナーなどでも実施可能である。
【００３４】
また、本実施形態の立体縫製きもの１は、きもの１の袵２４の上端縁２５部分を着用状態で水平となるように形成し、この上端縁２５の近傍に上端縁２５と平行にきもの用の第及び第２のウェストバンド２６，２７をそれぞれ取付け、各ウェストバンド２６，２７を締め付けたときに水平方向に両袵２４の上端縁２５と衿先部分を締め付け得るように構成されている。したがって、衿先を肩側へ引き上げる力が働かないため、長時間着用しても衿元にだぶつきを生じることが少ない。
【００３５】
以上のように構成された本発明の一部式立体縫製きもの１によると、きもの１を羽織った状態で身長などの条件から必要とする着丈に応じた高さの着丈調整用ベルト通し２３に着丈調整ベルト３５を通し、この着丈調整ベルト３５をきもの１の内側で体の前に回して両端の面ファスナー３６を互いに連結して体に巻き付けるだけで、きもの１の後身頃２２の着丈調整用ベルト通し２３の位置を着用者の身体に固定すること、即ち後身頃２２の着丈を調整することができる。ついで、衽２４の上端の第１及び第２のウェストバンド２６，２７を、着丈調整ベルト３５と同様に、身長に応じた高さのウェストベルト用ベルト通し３２に通す。そして、第１のウェストベルト２６をきもの１の内側から身八口３０を通してきもの１の外の背面側へ引き出してから再び反対側の前見頃３１側へ回す一方、第２のウェストベルト２７をきもの１の外から背側へ回して反対側の前身頃３１側へ引き回し、きもの１の前で第２のウェストベルト２７の輪２９に第１のウェストベルト２６の先端のフック形連結金具２８を引っ掛けて第１及び第２のウェストベルト２６，２７を互いに連結することにより、袵２４と前見頃３１側の着丈を調整する。これにより、きもの１の着丈の調整と同時に着用が完了する。
【００３６】
このとき、本発明の立体縫製きもの１の下には、長襦袢を着用しておいても良いし、きものの襟部分に長襦袢を模擬した襟を取り付けるようにしても良い。また、きもの１の袖には、長襦袢の袖を伊達袖２として取り付けておいても良い。
【００３７】
また、図４に本発明にかかる一部式立体縫製きものの他の実施形態を示す。この立体縫製きもの１は、図１の立体縫製きものの前見頃３１の下前側となる衽２４の内側の面（裏面）にさらに着丈調整用ベルト通し３８を設けたものである。この衽２４の着丈調整用ベルト通し３８は、後身頃２２に設けられた３カ所の着丈調整用ベルト通し２３と同様に、丈方向に複数段例えば３〜５段程度形成されており、任意の段の着丈調整用ベルト通し３８に着丈調整ベルト３５を通すことによって、着用者の身体に固定する下前側となる衽２４の位置を調整可能としている。この衽２４の着丈調整用ベルト通し３８は、後身頃２２に設けられた３カ所の着丈調整用ベルト通し２３と同じ高さに設けられている。具体的には、衽２４の着丈調整用ベルト通し３８は、例えば袵線３９に沿って後身頃２２に設けられた３カ所の着丈調整用ベルト通し２３と同じ高さに縫い付けられている。この衽２４の着丈調整用ベルト通し３８に着丈調整ベルト３５を通して着丈調整することによって、下前側となる衽２４の位置が固定されるので、前身頃３１が開け難いものとなる。依って、太鼓腹の人でも前がはだけることがなくなるという利点がある。尚、図中の符号７は、後衿４の内側面に長襦袢の後衿の外側面を着脱自在に取り付け可能とするための一対の係着手段例えばスナップの一方である。
【００３８】
なお、上述の実施形態は本発明の好適な実施の一例ではあるがこれに限定されるものではなく、本発明の要旨を逸脱しない範囲において種々変形実施可能である。例えば、本実施形態では、下前側となる衽２４のウェストベルト用ベルト通し３２と、上前側となる衽２４のウェストベルト用ベルト通し３２とは、身丈方向において同じ高さとなるように配置されているが、これに特に限られるものでなく、場合によっては、下前側のウェストベルト用ベルト通し３２を上前側のウェストベルト用ベルト通し３２よりも身丈方向においてやや下側に設けるようにしても良い。この場合には、下前側の衽２４の第１ウェストバンド２６の取り付け位置が上前側の衽２４の第２ウェストバンド２７の取り付け位置よりも低くなるので、第１及び第２のウェストバンド２６，２７できもの１の前を止め付けたときに結果的に下前を持ち上げることとなるので、きものの裾が広がらずに着ることができ、装いが一層美しいものとなる。
【００３９】
図５及び図６に本発明の立体縫製きものセットの実施の一形態を示す。この立体縫製きものセットは、図１〜図３あるいは図４に例示する一部式立体縫製きもの１と長襦袢（インナーと呼ばれ総称と同義に用いる）３とを予め一体化して同時に着用できるようにしたものである。つまり、立体縫製きもの１は、図１〜図３あるいは図４に例示するように、長襦袢３のだて袖２が予め縫いつけられると共に、後衿４の内側面に着脱自在な一対の係着手段の一方例えば雄あるいは雌の面ファスナー若しくはスナップ（以下、単に面ファスナーと呼ぶ）７が縫いつけられている。他方、インナー３は、立体縫製により袖無しに仕立てられ、後衿５の外側面に着脱自在な一対の係着手段の一方例えば雌あるいは雄の面ファスナー若しくはスナップ（以下、単に面ファスナーと呼ぶ）６が縫いつけられている。そして、立体縫製きもの１とインナー３とを重ねてそれぞれの後襟４，５を合わせて対向する面ファスナー６，７で後衿４，５部分において着付け前に予め止め付けられて一体となって着られるように組み合わせられている。尚、立体縫製きもの１には予め長襦袢の伊達袖２が縫い付けられており、袖を通すのを容易にして短時間で羽織れるようにされているが、場合によっては袖付きの長襦袢・インナー３として立体縫製きもの１の伊達袖２を省いたものとの組み合わせとするようにしても良い。
【００４０】
ここで、インナー３は、きもの１と同様に、縫製した際に着用者の身体に適合するように予め立体裁断されたパーツを曲線縫製して立体的に構成されたものであり、袖を設けずにきもの側に伊達袖２として予め縫い付けられている。このインナー３の後衿５の外側面には面ファスナ６ーが縫製あるいは接着などで取付けられており、きもの１の後衿４の内側面に縫い付けられた対となる面ファスナー７との間で着脱自在に設けられている。即ち、立体縫製のきもの１とインナー３とは、予め後衿４，５の面ファスナー６，７で互いに止め付けられて一体となって着られるように組み合わせられている。
【００４１】
また、インナー３には、背の内側に衿抜きのための力布９が設けられている。この力布９は、下に引っ張ることで衿抜きを可能とするものであり、例えば後身頃８の背中心において上端が後身頃８と衿５との縫い合わせ部分に、下端が身八ッ口１０と同程度の高さの位置でインナーの後身頃の背中心に対して左右対称になるよう配置されて縫い付けられている。したがって、力布９に通された衿抜き用通しベルト１１をインナー３の内側で着用者の体に巻き付けながら着用者の体の前へ回して固定することにより、インナー３の衿抜きの深さを決定して固定することができる。
【００４２】
さらに、本実施例の場合、力布９には、衿抜き用通しベルト１１を通すための筒状の複数のベルト通し、例えば上段、中段、下段の三通りのベルト通し１２が背丈方向に備えられ、いずれかのベルト通し１２を選択して衿抜き用通しベルト１１を通すことで衿抜きの深さを調整可能としている。即ち、上段、中段、下段の三通りのベルト通し１２は、ほぼ同じ高さで体に固定される衿抜き用通しベルト１１が通されることにより力布９を下に引っ張る力を与えたり、あるいは引っ張る力を解放したりすることにより、きものの個性及び特徴に応じた後衿の深さを簡単に造りだせる。例えば、最下段のベルト通し１２は普段着等での衿抜き、中段のベルト通し１２は訪問着等での衿抜き、最上段のベルト通し１２はより深い衿姿が必要となるきもの等、夫々の個性に適したベルト通し高さを設定することができる。しかも、衿抜き用通しベルト１１を締め付けて固定した時には後衿を下げた状態で固定されるため衿５の抜きが安定する。
【００４３】
また、衿抜き用通しベルト１１は、本実施形態の場合、その両端に面ファスナー１３ａ，１３ｂを備えたゴムベルトを用いるようにしている。本実施形態の場合、衿抜き用通しベルト１１は調整が容易なゴムベルトを使用しているがこれに特に限定されるものではなく、長さが調整可能な布ベルトや紐を用いるようにしても良い。
【００４４】
インナー３にはさらに、前身頃の衿の下部分に身八口１０を通してインナー３の内側から外へ抜けて前見頃１８側へ回されるインナー用第１のバンド１５と、インナー３の外から背側へ回って反対側の前見頃１８側へ回されるインナー用第２のバンド１４とがそれぞれ設けられている。これらインナー用第１及び第２のバンド１５，１４はインナー３の周りを巻き締めるようにして体の前で互いの端部を係合させるインナー用係合部材１６，１７を備える。本実施形態の場合、インナー用第１及び第２のバンド１５，１４としては、ゴムバンドが使用されており、少なくとも一方のバンドの端部にはインナー用係合部材としてフック形の連結金具（一般に「かね」と呼ばれる）１６を備えると共に他方のバンドの端部にはフック形連結金具を引っ掛ける輪１７が形成されており、一方のバンドのフック形連結金具１６を他方のバンドの輪１７に引っ掛けることによって、着脱自在に固定可能とされている。このインナー用第１及び第２のバンド１５，１４は、特に限定されるものではないが、インナー３の前身頃の衿の下部分に直接縫い付けるようにして固着するようにしている。
【００４５】
以上のように構成された立体縫製きもの１とインナー３の組み合わせは、次のようにして簡単に着用できる。まず、所望とするインナー３の衿抜きの深さに応じて衿抜き用通しベルト１１を通す力布９のベルト通し１２の位置・段を決め、該当する段のベルト通し１２に衿抜き用通しベルト１１を通す。また、立体縫製きもの１には、着用者の着丈に応じた高さの着丈調整用ベルト通し２３並びにウェストベルト用ベルト通し３２に着丈調整ベルト３５並びに第１及び第２のウェストバンド２６，２７を通す。勿論、後ろ手でベルト通しが難なくできるのであれば、予め各ベルト通し１２，２３，３２に各ベルト１１，３５，２６，２７を通しておかなくとも、羽織った状態で通すようにしても良い。
【００４６】
次いで、インナー３の後衿５の外側の面ファスナー６ときもの１の後衿４の内側の対となる面ファスナー７とを貼り合わせてインナー３と立体縫製きもの１とを後衿４，５部分で一体化し、互いの関係を固定してきもの１とインナー３を同時に羽織れるようにする。
【００４７】
そして、後衿４，５部分で背中の一体化され組み合わせられたインナー３ときもの１とに袖を通して同時に羽織る。その状態で、インナー３の内側から手を背中に回して衿抜き用通しベルト１１の両端を探し出して体の前へ回し、衿抜き用通しベルト１１の両端の面ファスナー１３ａ，１３ｂを貼り合わせることで固定する。これにより、衿抜き用通しベルト１１が力布９の通されたベルト通しの段１２の位置に応じて、力布９が下に引っ張られて固定されるので、インナー３の衿抜きの深さが決められると同時に固定され、その後のインナー３、きもの１の着付けにおいて着崩れを起こすことがない。その状態で、インナー用第１及び第２のバンド１４，１５を用いてインナー３の前を止め付ける。
【００４８】
その後、後ろ手で着丈調整ベルト３５の両端を掴み、きもの１の内側で体の前に回してきもの１の後身頃２２側の着丈を調整しながら着丈調整ベルト３５を体に巻き付け、両端の面ファスナー３４を使って固定する。さらに、下前となる衽２４に取り付けられた第１のウェストベルト２６をきもの１の内側から身八口３０を通してきもの１の外の背面側へ引き出してから再び反対側の前見頃３１側へ回す一方、上前となる衽２４に取り付けられた第２のウェストベルト２７をきもの１の外から背側へ回して反対側の前身頃３１側へ引き回し、きもの１の前で第１及び第２のウェストベルト２６，２７を互いに連結することにより、きもの１の前側即ち前身頃３１並びに袵２４の着丈を調整する。これにより、着丈の調整と同時にきものの着用が完了する。
【符号の説明】
【００４９】
１  立体縫製きもの
２  長襦袢の伊達袖
３  立体縫製インナー（長襦袢）
４  きものの後衿
５  インナーの後衿
６  インナーの後衿の外側の面に設けられている面ファスナー
７  きものの後衿の内側の面に設けられている面ファスナー
９  力布
１０  身八ッ口
１１  衿抜き用通しベルト
１２  筒状のベルト通し
１３ａ，１３ｂ  衿抜き用通しベルトの両端の面ファスナー
１４  インナー用第１のバンド
１５  インナー用第１のバンド
１６，１７  インナー用係合部材を構成するフック形連結金具とそれが引っ掛けられる輪
２２  きものの後身頃
２３  きものの着丈調整用ベルト通し
２４  袵
２５  袵の上端縁
２６  きもの用第１のバンド
２７  きもの用第２のバンド
２８，２９  きもの用係合部材を構成するフック形連結金具とそれが引っ掛けられる輪
３０  身八ッ口
３２  筒状のフック掛け
３３  フック形連結金具
３４  面ファスナー
３５  着丈調整用ベルト
３８  衽２４の内側の面に設けられた着丈調整用ベルト通し
【図１】
2010222719.tif 000003
【図２】
2010222719.tif 000004
【図３】
2010222719.tif 000005
【図４】
2010222719.tif 000006
【図５】
2010222719.tif 000007
【図６】
2010222719.tif 000008